(57)【要約】【課題】  主部材と副部材とを締結した後、事後的に頭付きビスが緩んだり副部材のねじ孔から抜け出たりしても、頭付きビスが主部材に脱落しないように保持されたままになるビス脱落防止用スペーサ及びビス脱落防止構造を提供する。【解決手段】  頭付きビス６０の頭部６１を、スペーサ２０のスペーサ主部２１と頭部押え部２３との対向空間Ｓ内に脱落しない状態で収容する。主部材１１０のビス挿通孔１２１に挿通した頭付きビス６０を副部材１５０のねじ孔１６１にねじ込むと、スペーサ２０の係合爪２７が主部材１１０の被係止面１２５に係合可能となって、そのスペーサ２０が主部材１１０に保持される。【選択図】        図６
2006170266.tif 000002
【特許請求の範囲】
【請求項１】
主部材のビス挿通孔に挿通されてその主部材の相手方部材としての副部材のねじ孔にねじ込まれる頭付きビスの頭部と上記主部材との間に挟み込まれるスペーサ主部と、上記頭部に対向して配備される頭部押え部と、この頭部押え部に上記スペーサ主部を連結しかつ内外方向での弾性変形によって上記スペーサ主部を内外方向に変位させる連結片とを備え、
上記スペーサ主部に上記頭付きビスの頭部をそのスペーサ主部と上記頭部押え部との間の対向空間内に挿入して配備するための頭部押込み口が備わり、上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成されていると共に、上記連結片に上記主部材に係合して当該スペーサがその主部材から脱落することを阻止する係合部が備わり、
上記係合部が上記連結片に外向きに突設された係合爪でなり、その係合爪に、頭部が上記対向空間内に配備されて主部材のビス挿通孔に挿通された上記頭付きビスを回転操作してその頭部で当該スペーサを押し下げつつその頭付きビスを上記副部材のねじ孔にねじ込むねじ込み工程で、上記連結片を内向きに弾性変形させながら上記係合爪にその係合爪の相手方部位として上記主部材に段付状に形成された被係合面を乗り越えさせるための呼込みガイド面が付設され、
上記スペーサ主部が、上記対向空間内に配備された上記頭部を有する上記頭付きビスの軸線周りの等角度おきの複数箇所に位置する複数の爪片によって形成され、上記連結片が、上記爪片を先端に備えた脚片状に形成されていると共に、上記頭部押込み口が、それらの爪片に具備されて頭付きビスの頭部を押し込むときにその頭部に押されて上記連結片を外向きに弾性変形させる傾斜ガイド面による取囲み空間によって形成されていることを特徴とするビス脱落防止用スペーサ。
【請求項２】
主部材のビス挿通孔に挿通されてその主部材の相手方部材としての副部材のねじ孔にねじ込まれる頭付きビスの頭部と上記主部材との間に挟み込まれるスペーサ主部と、上記頭部に対向して配備される頭部押え部と、この頭部押え部に上記スペーサ主部を連結しかつ内外方向での弾性変形によって上記スペーサ主部を内外方向に変位させる連結片とを備え、
上記スペーサ主部に上記頭付きビスの頭部をそのスペーサ主部と上記頭部押え部との間の対向空間内に挿入して配備するための頭部押込み口が備わり、上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成されていると共に、上記連結片に上記主部材に係合して当該スペーサがその主部材から脱落することを阻止する係合部が備わっていることを特徴とするビス脱落防止用スペーサ。
【請求項３】
上記係合部が上記連結片に外向きに突設された係合爪でなり、その係合爪に、頭部が上記対向空間内に配備されて主部材のビス挿通孔に挿通された上記頭付きビスを回転操作してその頭部で当該スペーサを押し下げつつその頭付きビスを上記副部材のねじ孔にねじ込むねじ込み工程で、上記連結片を内向きに弾性変形させながら上記係合爪にその係合爪の相手方部位として上記主部材に段付状に形成された被係合面を乗り越えさせるための呼込みガイド面が付設されている請求項２に記載したビス脱落防止用スペーサ。
【請求項４】
上記スペーサ主部が、上記対向空間内に配備された上記頭部を有する上記頭付きビスの軸線周りの等角度おきの複数箇所に位置する複数の爪片によって形成されていると共に、上記頭部押込み口が、それらの爪片に具備されて頭付きビスの頭部を押し込むときにその頭部に押されて上記連結片を外向きに弾性変形させる傾斜ガイド面による取囲み空間によって形成されている請求項２又は請求項３に記載したビス脱落防止用スペーサ。
【請求項５】
頭付きビスの頭部が、相対向して配備されたスペーサ主部及び頭部押え部と、それら両者を連結しかつ内外方向の弾性変形によって上記スペーサ主部を内外方向に変位させる連結片とを備えるスペーサの上記スペーサ主部と頭部押え部との対向空間内に収容され、かつ、そのスペーサから突出されて上記主部材のビス挿通孔に挿通された上記頭付きビスがその主部材の相手方部材としての副部材のねじ孔にねじ込まれることによって上記スペーサ主部が上記頭部と上記主部材との間に挟み込まれており、
上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成され、上記連結片に上記主部材に係合して当該スペーサがその主部材から脱落することを阻止する係合部が備わり、
上記係合部が上記連結片に外向きに突設された係合爪でなり、かつ、その係合爪の相手方部位としての被係合面が上記主部材に段付状に形成されていて、それらの係合爪と被係合面とのうちの少なくとも一方に、主部材のビス挿通孔に挿通された上記頭付きビスを回転操作して上記スペーサを押し下げつつその頭付きビスを上記副部材のねじ孔にねじ込むねじ込み工程で、上記連結片を内向きに弾性変形させながら上記係合爪に上記被係合面を乗り越えさせるための呼込みガイド面が付設され、
上記スペーサ主部が、上記頭付きビスの軸線周りの等角度おきの複数箇所に位置する複数の爪片によって形成され、上記連結片が、上記爪片を先端に備えた脚片状に形成され、
上記副部材のねじ孔に対する上記頭付きビスのねじ込み代が、上記対向空間内での上記スペーサ主部と頭部押え部との対向方向での動き代よりも小さくなっていると共に、
上記スペーサが上記主部材に形成された凹所に収容されていることを特徴とするビス脱落防止構造。
【請求項６】
頭付きビスの頭部が、相対向して配備されたスペーサ主部及び頭部押え部と、それら両者を連結しかつ内外方向の弾性変形によって上記スペーサ主部を内外方向に変位させる連結片とを備えるスペーサの上記スペーサ主部と頭部押え部との対向空間内に収容され、かつ、そのスペーサから突出されて上記主部材のビス挿通孔に挿通された上記頭付きビスがその主部材の相手方部材としての副部材のねじ孔にねじ込まれることによって上記スペーサ主部が上記頭部と上記主部材との間に挟み込まれ、
上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成され、上記連結片に上記主部材に係合して当該スペーサがその主部材から脱落することを阻止する係合部が備わっていることを特徴とするビス脱落防止構造。
【請求項７】
上記係合部が上記連結片に外向きに突設された係合爪でなり、かつ、その係合爪の相手方部位としての被係合面が上記主部材に段付状に形成されていて、それらの係合爪と被係合面とのうちの少なくとも一方に、主部材のビス挿通孔に挿通された上記頭付きビスを回転操作して上記スペーサを押し下げつつその頭付きビスを上記副部材のねじ孔にねじ込むねじ込み工程で、上記連結片を内向きに弾性変形させながら上記係合爪に上記被係合面を乗り越えさせるための呼込みガイド面が付設されている請求項６に記載したビス脱落防止構造。
【請求項８】
上記スペーサ主部が、上記頭付きビスの軸線周りの等角度おきの複数箇所に位置する複数の爪片によって形成され、上記連結片が、上記爪片を先端に備えた脚片状に形成されている請求項６又は請求項７に記載したビス脱落防止構造。
【請求項９】
上記副部材のねじ孔に対する上記頭付きビスのねじ込み代が、上記対向空間内での上記スペーサ主部と頭部押え部との対向方向での上記頭部の動き代と同方向での主部材に対するスペーサの動き代とを合わせた長さよりも長くなっている請求項７に記載したビス脱落防止構造。
【請求項１０】
上記副部材のねじ孔に対する上記頭付きビスのねじ込み代が、上記対向空間内での上記スペーサ主部と頭部押え部との対向方向での上記頭部の動き代と同方向での主部材に対するスペーサの動き代とを合わせた長さよりも短くなっている請求項７に記載したビス脱落防止構造。
【請求項１１】
上記対向空間内での上記頭部の動き代が存在せず、かつ、上記スペーサが、そのスペーサの上記係合爪に係合している主部材側の上記被係合面と上記爪片に重なり合っている主部材の重なり面とによって挟持されている請求項７に記載したビス脱落防止構造。
【発明の詳細な説明】
【技術分野】
【０００１】
本発明は、主部材と副部材との締結に用いたビスが脱落することを防ぐために用いられビス脱落防止用スペーサに関する。また、本発明は、主部材と副部材との締結に用いたビスが脱落することを防ぐことのできるビス脱落防止構造に関する。
【背景技術】
【０００２】
従来、自動車分野において、ナットに被せたキャップを利用してナットがボルトから離脱することを防止する技術（特許文献１参照）や、スタッドボルトとナットとを用いてパネルにサイドプロテクトモールなどの外装部品を取り付けるための技術（特許文献２参照）が提案されていた。また、電気機器収納用箱体に枠体を取り付けることに用いられている取付ネジが脱落することを防止するための技術も提案されていた（特許文献３参照）。さらに、遊戯機分野において、一対の固着具によって２枚の板体を固定する技術（特許文献４参照）や、車両のフロア面にフットレストを設置するためのクリップをスタッドボルトによって固定する技術も提案されている（特許文献５参照）。
【０００３】
上掲の各特許文献のうち、特許文献３に記載されている枠体取付ネジ脱落防止構造を図１２及び図１３を参照して説明する。この枠体取付ネジ脱落防止構造では、ネジ脱落防止具１の２箇所の掛止爪２，２を枠体３の取付孔４に係合させてそのネジ脱落防止具１が枠体３に取り付けらる。そして、箱体本体５側に具備させた螺着孔６に、その箱形本体５に重ねた枠体３のネジ挿通孔７とネジ脱落防止具１の挿通孔８とを合わせ、それらのネジ挿通孔７と挿通孔８に通した枠体取付ネジ９を上記螺着孔６にねじ込んである。また、ネジ脱落防止具１には、３つの立片１０が備わり、枠体取付ネジ９をねじ込むときには、それらの立片１０が枠体取付ネジ９の頭部を挟んで仮固定状態に保つようになっている。
【０００４】
この枠体取付ネジ脱落防止構造では、立片１０の先端に内向きの爪形部位１０ａが形成されているため、枠体取付ネジ９が緩んだときには、その枠体取付ネジ９の頭部が爪形部位１０ａに当たって緩み止め作用を発揮すると考えられ、また、３本の立片１０によって枠体取付ネジ９の頭部が挟まれる構造になっているために、螺着孔６にねじ込む前の枠体取付ネジ９をネジ脱落防止具１から脱落しないようにそのネジ脱落防止具１に保持させておくことができるという作用が発揮されると考えられる。したがって、ネジ脱落防止具１を枠体３に取り付けておくと、そのネジ脱落防止具１を介して枠体取付ネジ９が枠体３から脱落してしまうという事態を防ぐことができるとも考えられる。
【特許文献１】実用新案登録第３０６３４１６号公報
【特許文献２】実用新案登録第２６０６８９１公報
【特許文献３】実開平７−４１０４５号公報
【特許文献４】特開２００４−１５０４７６号公報
【特許文献５】特開平１１−２４７８２２号公報
【発明の開示】
【発明が解決しようとする課題】
【０００５】
しかしながら、図１２及び図１３を参照して説明した特許文献３に記載されている技術では、ネジ脱落防止具１に備わっている３つの立片１０が枠体取付ネジ９の頭部を挟み付けて保持しているに過ぎないため、螺着孔６にねじ込んだ枠体取付ネジ９が緩んでその頭部が押し上げられることによって、その頭部が立片１０を押し開きながら爪形部位１０ａを乗り越えて脱落してしまうという事態を防ぐことのできない状況が起こり得る。また、ネジ脱落防止具１に保持されている枠体取付ネジ９が傾いたときにも、その頭部が３つの立片１０の隙間から出て枠体取付ネジ９がネジ脱落防止具１から脱落してしまうという事態も起こり得る。この一方で、取付ビスを用いる締結構造において、締結後の取付ビスを接着剤で固定すると、取付ビスの脱落を防ぐことが可能であるけれども、そのようにすることは、量産を図る上で手間がかかって好ましくなく、また分解するときに接着剤を除去しなければならないという煩わしさがある。
【０００６】
本発明は以上の状況に鑑みてなされたものであり、主部材と副部材とを締結することに用いる頭付きビスの主部材からの脱落を確実に防止することきのできるビス脱落防止用スペーサ及びビス脱落防止構造を提供することを目的とする。
【０００７】
また、本発明は、主部材と副部材とを締結している頭付きビスが緩んで主部材から脱落するという事態を確実に防止することのできるビス脱落防止用スペーサ及びビス脱落防止構造を提供することを目的とする。
【０００８】
さらに、本発明は、主部材と副部材とを締結している頭付きビスが緩んで副部材のねじ孔から外れても、その頭付きビスが主部材から脱落するという事態を確実に防止することのできるジス脱落防止用スペーサ及びビス脱落防止構造を提供することを目的とする。
【０００９】
さらに、本発明は、主部材と副部材とを締結している頭付きビスの緩止め作用を発揮させることのできるビス脱落防止用スペーサ及びビス脱落防止構造を提供することを目的とする。
【課題を解決するための手段】
【００１０】
本発明に係るビス脱落防止用スペーサは、主部材のビス挿通孔に挿通されてその主部材の相手方部材としての副部材のねじ孔にねじ込まれる頭付きビスの頭部と上記主部材との間に挟み込まれるスペーサ主部と、上記頭部に対向して配備される頭部押え部と、この頭部押え部に上記スペーサ主部を連結しかつ内外方向での弾性変形によって上記スペーサ主部を内外方向に変位させる連結片とを備えている。そして、上記スペーサ主部に上記頭付きビスの頭部をそのスペーサ主部と上記頭部押え部との間の対向空間内に挿入して配備するための頭部押込み口が備わり、上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成されていると共に、上記連結片に上記主部材に係合して当該スペーサがその主部材から脱落することを阻止する係合部が備わっている。
【００１１】
この発明に係るビス脱落防止用スペーサによれば、スペーサの連結片に具備されている係合部が主部材に係合することによって、主部材からのスペーサの脱落が阻止される。そして、そのスペーサのスペーサ主部と頭部押え部との対向空間内に頭付きビスの頭部が配備されていることによりスペーサから頭付きビスが脱落することがない。したがって、主部材と副部材とを締結するための頭付きビスが、スペーサを介して主部材に保持されることになり、その頭付きビスが主部材から脱落してしまって紛失するといった事態が起こらなくなる。また、スペーサの頭部押え部には、頭付きビスを回転操作するためのドライバのビット挿入口が備わっているので、そのビット挿入口にドライバのビットを差し込んで頭付きビスを回転操作することが可能である。
【００１２】
本発明に係るビス脱落防止用スペーサでは、上記係合部が上記連結片に外向きに突設された係合爪でなり、その係合爪に、頭部が上記対向空間内に配備されて主部材のビス挿通孔に挿通された上記頭付きビスを回転操作してその頭部で当該スペーサを押し下げつつその頭付きビスを上記副部材のねじ孔にねじ込むねじ込み工程で、上記連結片を内向きに弾性変形させながら上記係合爪にその係合爪の相手方部位として上記主部材に段付状に形成された被係合面を乗り越えさせるための呼込みガイド面が付設されていることが望ましい。これによれば、スペーサに保持されている頭付きビスを副部材のねじ孔にねじ込むねじ込み工程を行うだけで、スペーサを主部材に保持させることが可能になる。
【００１３】
本発明に係るビス脱落防止用スペーサでは、上記スペーサ主部が、上記対向空間内に配備された上記頭部を有する上記頭付きビスの軸線周りの等角度おきの複数箇所に位置する複数の爪片によって形成されていると共に、上記頭部押込み口が、それらの爪片に具備されて頭付きビスの頭部を押し込むときにその頭部に押されて上記連結片を外向きに弾性変形させる傾斜ガイド面による取囲み空間によって形成されていることが望ましい。これによれば、頭付きビスの頭部を傾斜ガイド面に押し付け、その頭部を押し込んで連結片を外向きに弾性変形させながらスペーサ主部を形成している複数の爪片を外方向に変位させることによって頭部を上記対向空間内に配備することが可能になる。そして、その対向空間内に頭部を配備した後では、その頭部が複数の上記爪片と上記頭部押え部とによって抜け出さないように保持される。したがって、頭付きビスの頭部を、傾斜ガイド面による取囲み空間によって形成された頭部押込み口に押し込むという簡単な操作を行うだけで、その頭付きビスをスペーサに保持させることが可能であり、保持させた後では、頭付きビスがスペーサから脱落しなくなる。
【００１４】
本発明に係るビス脱落防止用スペーサは、次の構成を採用することによっていっそう具体化される。すなわち、主部材のビス挿通孔に挿通されてその主部材の相手方部材としての副部材のねじ孔にねじ込まれる頭付きビスの頭部と上記主部材との間に挟み込まれるスペーサ主部と、上記頭部に対向して配備される頭部押え部と、この頭部押え部に上記スペーサ主部を連結しかつ内外方向での弾性変形によって上記スペーサ主部を内外方向に変位させる連結片とを備え、上記スペーサ主部に上記頭付きビスの頭部をそのスペーサ主部と上記頭部押え部との間の対向空間内に挿入して配備するための頭部押込み口が備わり、上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成されていると共に、上記連結片に上記主部材に係合して当該スペーサがその主部材から脱落することを阻止する係合部が備わり、上記係合部が上記連結片に外向きに突設された係合爪でなり、その係合爪に、頭部が上記対向空間内に配備されて主部材のビス挿通孔に挿通された上記頭付きビスを回転操作してその頭部で当該スペーサを押し下げつつその頭付きビスを上記副部材のねじ孔にねじ込むねじ込み工程で、上記連結片を内向きに弾性変形させながら上記係合爪にその係合爪の相手方部位として上記主部材に段付状に形成された被係合面を乗り越えさせるための呼込みガイド面が付設され、上記スペーサ主部が、上記対向空間内に配備された上記頭部を有する上記頭付きビスの軸線周りの等角度おきの複数箇所に位置する複数の爪片によって形成され、上記連結片が、上記爪片を先端に備えた脚片状に形成されていると共に、上記頭部押込み口が、それらの爪片に具備されて頭付きビスの頭部を押し込むときにその頭部に押されて上記連結片を外向きに弾性変形させる傾斜ガイド面による取囲み空間によって形成されている、という構成を採用することによっていっそう具体化される。この発明の作用については、後述する実施形態を参照して詳細に説明する。
【００１５】
本発明に係るビス脱落防止構造は、頭付きビスの頭部が、相対向して配備されたスペーサ主部及び頭部押え部と、それら両者を連結しかつ内外方向の弾性変形によって上記スペーサ主部を内外方向に変位させる連結片とを備えるスペーサの上記スペーサ主部と頭部押え部との対向空間内に収容され、かつ、そのスペーサから突出されて上記主部材のビス挿通孔に挿通された上記頭付きビスがその主部材の相手方部材としての副部材のねじ孔にねじ込まれることによって上記スペーサ主部が上記頭部と上記主部材との間に挟み込まれ、、上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成され、上記連結片に上記主部材に係合して当該スペーサがその主部材から脱落することを阻止する係合部が備わっている。
【００１６】
この構成であれば、副部材のねじ孔にねじ込まれた頭付きビスが緩んでも、その頭付きビスが、主部材に脱落しないように取り付けられているスペーサに保持されているので、頭付きビスが主部材から脱落して紛失するという事態が起こらない。また、スペーサの頭部押え部には、頭付きビスを回転操作するためのドライバのビット挿入口が備わっているので、そのビット挿入口にドライバのビットを差し込んで頭付きビス回転操作することが可能である。
【００１７】
本発明に係るビス脱落防止構造では、上記係合部が上記連結片に外向きに突設された係合爪でなり、かつ、その係合爪の相手方部位としての被係合面が上記主部材に段付状に形成されていて、それらの係合爪と被係合面とのうちの少なくとも一方に、主部材のビス挿通孔に挿通された上記頭付きビスを回転操作して上記スペーサを押し下げつつその頭付きビスを上記副部材のねじ孔にねじ込むねじ込み工程で、上記連結片を内向きに弾性変形させながら上記係合爪に上記被係合面を乗り越えさせるための呼込みガイド面が付設されていることが望ましい。これによれば、スペーサに保持されている頭付きビスを副部材のねじ孔にねじ込むねじ込み工程を行うだけで、スペーサを主部材に保持させることが可能になる。
【００１８】
本発明に係るビス脱落防止構造では、上記スペーサ主部が、上記頭付きビスの軸線周りの等角度おきの複数箇所に位置する複数の爪片によって形成され、上記連結片が、上記爪片を先端に備えた脚片状に形成されていることが望ましい。これによれば、頭付きビスの頭部を複数の爪片の間に押し込むという簡単な操作を行うだけで、その頭部をスペーサのスペーサ主部と頭部押え部との対向空間内に配備することが可能になる。そして、その対向空間内に頭部を配備した後では、その頭部がスペーサ主部を形成している複数の上記爪片と上記頭部押え部との間に抜け出さないように保持されて頭付きビスがスペーサから脱落しなくなる。
【００１９】
本発明に係るビス脱落防止構造では、上記副部材のねじ孔に対する上記頭付きビスのねじ込み代が、上記対向空間内での上記スペーサ主部と頭部押え部との対向方向での上記頭部の動き代と同方向での主部材に対するスペーサの動き代とを合わせた長さよりも長くなっている、という構成を採用することが可能であり、そうすることによって、頭付きビスを副部材のねじ孔から抜き出すことが不可能になる。したがって、この構成は、主部材と副部材とを分解不可能に締結する用途に適する。
【００２０】
本発明に係るビス脱落防止構造では、上記副部材のねじ孔に対する上記頭付きビスのねじ込み代が、上記対向空間内での上記スペーサ主部と頭部押え部との対向方向での上記頭部の動き代と同方向での主部材に対するスペーサの動き代とを合わせた長さよりも短くなっている、という構成を採用することが可能であり、そうすることによって、頭付きビスを副部材のねじ孔から抜き出して主部材と副部材とを分解することが可能になる。したがって、この構成は主部材とを副部材とを分解可能に締結する用途に適する。
【００２１】
本発明に係るビス脱落防止構造では、上記対向空間内での上記頭部の動き代が存在せず、かつ、上記スペーサが、そのスペーサの上記係合爪に係合している主部材側の上記被係合面と上記爪片に重なり合っている主部材の重なり面とによって挟持されている、という構成を採用することが可能であり、そうすることによって、スペーサが頭付きビスを緩み止めする作用を発揮する。
【００２２】
本発明に係るビス脱落防止構造は、次の構成を採用することによっていっそう具体化される。すなわち、頭付きビスの頭部が、相対向して配備されたスペーサ主部及び頭部押え部と、それら両者を連結しかつ内外方向の弾性変形によって上記スペーサ主部を内外方向に変位させる連結片とを備えるスペーサの上記スペーサ主部と頭部押え部との対向空間内に収容され、かつ、そのスペーサから突出されて上記主部材のビス挿通孔に挿通された上記頭付きビスがその主部材の相手方部材としての副部材のねじ孔にねじ込まれることによって上記スペーサ主部が上記頭部と上記主部材との間に挟み込まれ、上記頭部押え部に、上記対向空間内に配備された上記頭部に係合して上記頭付きビスを回転操作するためのドライバのビット挿入口が備わり、かつ、そのビット挿入口が上記頭部の通過を許さない形状又は大きさに形成され、上記連結片に上記主部材に係合して当該スペーサがその主部材から脱落することを阻止する係合部が備わり、上記係合部が上記連結片に外向きに突設された係合爪でなり、かつ、その係合爪の相手方部位としての被係合面が上記主部材に段付状に形成されていて、それらの係合爪と被係合面とのうちの少なくとも一方に、主部材のビス挿通孔に挿通された上記頭付きビスを回転操作して上記スペーサを押し下げつつその頭付きビスを上記副部材のねじ孔にねじ込むねじ込み工程で、上記連結片を内向きに弾性変形させながら上記係合爪に上記被係合面を乗り越えさせるための呼込みガイド面が付設され、上記スペーサ主部が、上記頭付きビスの軸線周りの等角度おきの複数箇所に位置する複数の爪片によって形成され、上記連結片が、上記爪片を先端に備えた脚片状に形成され、上記副部材のねじ孔に対する上記頭付きビスのねじ込み代が、上記対向空間内での上記スペーサ主部と頭部押え部との対向方向での動き代よりも小さくなっていると共に、上記スペーサが上記主部材に形成された凹所に収容されている、という構成を採用することによっていっそう具体化される。この発明の作用については、後述する実施形態を参照して詳細に説明する。
【発明の効果】
【００２３】
以上のように、本発明に係るビス脱落防止用スペーサ又はビス脱落防止構造によれば、主部材と副部材とを頭付きビスのねじ込み工程を行うだけで締結することが可能でありながら、主部材と副部材とを一旦締結してしまうと、事後的に頭付きビスが緩んだり副部材のねじ孔から抜け出たりしても、その頭付きビスが主部材に脱落しないように保持されたままになってその紛失が未然に防止されるという優れた効果が得られる。また、主部材と副部材とを分解不可能に締結する機能や、両者を分解可能に締結することのできる機能を適宜付与することが可能であるため、その機能を、互いに締結されている主部座と副部材とが、ユーザによって分解されてもよい場合とユーザによって分解されないことが望まれる場合との両方に使い分けることができるという利点もある。さらに、主部材と副部材とを締結している頭付きビスが緩むことを防ぐことも可能である。
【発明を実施するための最良の形態】
【００２４】
図１（Ａ）は本発明に係るビス脱落防止用スペーサ２０と頭付きビス６０とを示した一部破断分解側面図、同（Ｂ）は上記両者を組み付けた状態での一部破断側面図、図２は図１（Ａ）のＩＩ矢視図、図３〜図６はねじ込み工程を示した縦断側面図、図７は作用を説明するための縦断側面図、図１１は本発明に係るビス脱落防止用スペーサ及びビス脱落防止構造の適用事例としてのリモートコントローラ１００を示した概略斜視図である。
【００２５】
図１１に示したリモートコントローラ１００では、主部材１１０としてのトップカバーと副部材１５０としてのボトムケースとを、本発明に係るビス脱落防止用スペーサ及びビス脱落防止構造を採用して締結してなり、それらの主部材１１０と副部材１５０とによって囲まれた内部空間にリモートコントローラとしての機能を発揮させるための電気電子部品が内蔵されている。なお、１０１は送信窓である。
【００２６】
図１及び図２に示したように、スペーサ２０は合成樹脂一体成形体でなり、円環状に並べて配列された複数（図例では３つ）の内向きの爪片２２によって形成されたスペーサ主部２１と、そのスペーサ主部２１に対向している円板状の頭部押え部２３と、先端に上記爪片２２を備えてその爪片２２と上記頭部押え部２３とを連結している複数箇所（図例では３箇所）の脚片状の連結片２４とを備えていて、連結片２４は樹脂に特有の弾性を有して内外方向に弾性変形可能である。また、このスペーサ２０には、それぞれの爪片２２に具備された傾斜ガイド面２５による取囲み空間によって形成された頭部押込み口２６が備わり、それぞれの上記連結片２４には外向きに突設された係合爪２７が備わっている。この係合爪２７は、後述する主部材１１０に係合して当該スペーサ２０がその主部材１１０から脱落することを阻止する係合部の一例である。さらに、上記頭部押え部２３の中央に回転操作工具としてのドライバのビットを抜き差し可能な大きさのビット挿入口２８が円形に形成されている。
【００２７】
一方、頭付きビス６０は、その頭部６１が上記スペーサ２０によって保持される。すなわち、頭付きビス６０は、スペーサ２０の複数の爪片２２によって形成されているスペーサ主部２１と頭部押え部２３との対向空間Ｓに図１（Ｂ）のようにその頭部６１が収容されることによって頭部押込み口２６から突出される。スペーサ２０のスペーサ主部２１と頭部押え部２３との対向空間Ｓに頭付きビス６０の頭部６１を収容させるときには、図１（Ａ）の矢印Ａのように、頭付きビス６０の頭部６１を頭部押込み口２６に押し込む操作を行うことにより、その頭部６１をそれぞれの爪片２２に具備されている傾斜ガイド面２５に押し付けて個々の連結片２４を外向きに弾性変形させながら、頭部６１に爪片２２を乗り越えさせる。
【００２８】
この実施形態のスペーサ２０では、複数の連結片２４を円板状の頭部押え部２３の周囲等角度おきに設けてある。そのため、上記のようにして頭付きビス６０の頭部６１をスペーサ主部２１と頭部押え部２３との対向空間Ｓに収容させた状態では、複数の連結片２４やそれらの先端の爪片２２が、頭付きビス６０の軸線周りの等角度おきの複数箇所に位置するようになる。また、頭部押え部２３に備わっているビット挿入口２８が頭付きビス６０の頭部６１の通過を許さない大きさに形成されている。具体的には、ビット挿入口２８の直径が、頭付きビス６０の頭部６１の直径よりも小さくなっている。したがって、頭付きビス６０の頭部６１を上記対向空間Ｓに収容させると、スペーサ主部２１を形成している複数の爪片２２と頭部押え部２３とによって、それらの対向方向（図１（Ｂ）の矢印Ｂ方向）での頭付きねじ６０の頭部６１の動き代が、複数の爪片２２と頭部押え部２３とによって規制されるために、頭付きビス６０がスペーサ２０の上方又は下方に抜け出て脱落するという事態は起こり得ない。また、複数の連結片２４の相互間隔を頭部６１が通過できない広さにすることも可能であり、そのようにしておくと、頭付きビス６０がスペーサ２０の側方に抜け出て脱落するという事態も起こり得ない。なお、図例では、円形のビット挿入口２８の大きさを頭付きビス６０の正面視円形の頭部６１よりも小さくして頭部６１がビス挿入口２８から抜け出さないようにしているけれども、この点は、頭部６１の形状とビット挿入口２８の形状とを異なる形状にすることによって、頭付きビス６０の頭部６１がビット挿入口２８から抜け出さないようにすることも可能である。
【００２９】
次に、図３〜図６を参照し、上記スペーサ２０に保持された頭付きビス６０を用いて主部材１１０と副部材１５０とを締結する場合を説明する。ここでいう主部材１１０及び副部材１５０は図１１を参照して説明したリモートコントローラ１００のトップカバー及びボトムケースに相当している。また、図例のリモートコントローラ１００では、締結箇所を図１１に符号イ，ロ，ハ，ニで示した４箇所に定めてあるけれども、締結箇所やその数は図例に限定されることはない。
【００３０】
図３〜図６のように、主部材１１０のビス止め箇所には平面視円形の凹入部１２０が備わり、その凹入部１２０の底壁にビス挿通孔１２１が形成されていると共に、その凹入部１２０の内周面には、内向き環状に張り出した段付状の被係合面１２５が備わっている。そして、この被係合面１２５に上拡がりに傾斜した呼込みガイド面１２６が付設されているのに対し、上記したスペーサ２０のそれぞれの爪片２２にも上拡がりに傾斜した呼込みガイド面２９が付設されている。ここで、凹入部１２０の内径や深さは、スペーサ２０の全体を遊び空間を保って収容することのできる大きさに形成されているのに対し、呼込みガイド面１２６は、スペーサ２０の係合爪２７を係止し得る直径を有している。
【００３１】
これに対し、副部材１５０には、ねじ孔１６１を備えたボス１６０が備わっていて、このボス１６０の頂部に主部材１１０の凹入部１２０が重ね合わされてボス１６０のねじ孔１６１に凹入部１２０のビス挿通孔１２１が位置合わせされる。
【００３２】
締結作業の始めの段階では、図３のように、頭付きビス６０を保持させたスペーサ２０を主部材１１０の凹入部１２０に嵌め込むことにより、スペーサ２０の係合爪２７を呼込みガイド面１２６に係止させることと、スペーサ２０から突き出ている頭付きねじ６０を主部材１１０側のビス挿通孔１２１に挿通させることとを行って、頭付きねじ６０を副部材１５０側のねじ孔１６１に臨ませる。この後、同図のようにスペーサ２０のビット挿入口２８からドライバのビット２００を差し込んで頭付きビス６０の頭部６１に係合させ、その頭付きビス６０を回転操作して副部材１５０のねじ孔１６１にねじ込むねじ込み工程を行う。
【００３３】
このねじ込み工程では、図４のように頭付きビス６０が副部材１５０側のねじ孔１６１にねじ込まれていくのに伴って、頭付きビス６０の頭部６１が爪片２２を押してスペーサ２０を押し下げるので、連結片２４を内向きに弾性変形させながらスペーサ２０の係合爪２７が呼込みガイド面１２６を摺動し、係合爪２７が主部材１１０側の被係合面１２５を乗り越える。そして、図５のように係合爪２７が主部材１１０側の被係合面１２５を乗り越えると、連結片２４がその弾性によって元の形状に復帰するので、さらに頭付きビス６０をねじ込むと、図６のように、頭付きビス６０の頭部６１と主部材１１０との間に爪片２２が挟み込まれて主部材１１０と副部材１５０とが頭付きビス６０によって締結される。
【００３４】
図６に示したビス脱落防止構造では、スペーサ２０の係合爪２７が主部材１１０側の被係合面１２５の下側でその被係合面１２５に間隔Ｈ１を隔てて対向し、頭付きビス６０の頭部６１がスペーサ２０の頭部押え部２３に間隔Ｈ２を隔てて対向している。また、図６には副部材１５０側のねじ孔１６１に対する頭付きビス６０のねじ込み代を符号Ｈ３で示してある。そして、頭付きビス６０のねじ込み代Ｈ３が、上記間隔Ｈ１，Ｈ２を合わせた長さよりも長くなっている。間隔Ｈ１，Ｈ２はそれぞれ、上記対向方向Ｂ（図１（Ｂ）参照）でのスペーサ２０の動き代、スペーサ２０に対する頭付きビス６０の動き代に相当している。
【００３５】
したがって、図７のように、頭付きビス６０が緩んでその頭部６１が頭部押え部２３に当たってスペーサ２０を押し上げるという事態が起こった場合には、上記対向方向Ｂ（図１（Ｂ）参照）での当該スペーサ２０の動き代が、高々上記間隔Ｈ１，Ｈ２を合わせた長さに制限される。すなわち、係合爪２７が被係合面１２５に係止することによってスペーサ２０の動き代の上限が規制され、頭付きビス６０の頭部６１がスペーサ２０の頭部押え部２３に当たることによって上記対向空間Ｓ（図１（Ｂ）参照）内でのスペーサ２０に対する頭付きビス６０の動き代の上限が規制される。このことにより頭付きビス６０が緩んでも、その頭付きビス６０が副部材１５０のねじ孔１６１から抜け出るという事態は起こらなくなる。よって、この実施形態のビス脱落防止構造は、主部材１１０と副部材１５０とを分解されないように締結するという目的に適うものである。
【００３６】
図８はビス脱落防止構造の変形例を示している。この事例では、上記対向空間Ｓ（図１（Ｂ）参照）内での頭付きビス６０の頭部６１の動き代が存在せず、かつ、スペーサ２０が、そのスペーサ２０の係合爪２７に係合している主部材１１０側の被係合面１２５と爪片２２に重なり合っている主部材１１０側の重なり面１１２とによって挟持されている。したがって、このものでは、図６で説明した間隔Ｈ１及びＨ２がいずれも存在せず、Ｈ１＝Ｈ２＝０になっている。その他の構造は、図１〜図６で説明したところと同様である。
【００３７】
この事例によると、頭付きビス６０がスペーサ２０によって緩み止めされる。よって、この実施形態のビス脱落防止構造も、主部材１１０と副部材１５０とを分解されないように締結するという目的に適うものである。
【００３８】
図９及び図１０はビス脱落防止構造の他の変形例を示している。この事例では、図９に示したように、スペーサ２０の係合爪２７が主部材１１０側の被係合面１２５の下側でその被係合面１２５に間隔Ｈ１を隔てて対向し、頭付きビス６０の頭部６１がスペーサ２０の頭部押え部２３に間隔Ｈ２を隔てて対向している。そして、頭付きビス６０のねじ込み代Ｈ３が、上記間隔Ｈ１，Ｈ２を合わせた長さよりも短くなっている。間隔Ｈ１，Ｈ２はそれぞれ、上記対向方向Ｂでのスペーサ２０の動き代、スペーサ２０に対する頭付きビス６０の動き代に相当している。Ｈ３はねじ込み代である。その他の構造は、図１〜図６で説明したところと同様である。
【００３９】
この事例によると、図１０で判るように、頭付きビス６０が緩んでその頭部６１が頭部押え部２３に当たってスペーサ２０を押し上げるという事態が起こった場合において、頭付きビス６０がねじ孔１６１から抜け出るまでは、係合爪２７が被係合面１２５に係止されることがない。よって、この実施形態のビス脱落防止構造は、主部材１１０と副部材１５０とを分解可能に締結するという目的に適うものである。
【００４０】
図９又は図１０で説明したビス脱落防止構造において、頭付きビス６０を緩めて主部材１１０と副部材１５０とを分解した場合でも、頭付きビス６０は、スペーサ２０を介して主部材１１０に保持されたままになる。そのため、頭付きビス６０が主部材１１０から脱落して紛失してしまうという事態が未然に防止される。
【００４１】
ところで、図４〜図７で説明した事例や図８で説明した事例では、頭付きビス６０を副部材１５０のねじ孔１６１にねじ込むねじ込み工程を行うことによって、スペーサ２０を主部材に保持させる場合を説明したけれども、この点は、頭付きビス６０を保持させたスペーサ２０を、事前に主部材１１０の凹入部１２０に押し込んで主部材１１０に保持させておくことも可能であり、そのようにしておくと、頭付きビス６０が、スペーサ２０を介して主部材１１０に保持されたままになって、頭付きビス６０が主部材１１０から脱落して紛失してしまうという事態が未然に防止される。
【００４２】
以上説明した実施形態又は変形例では、主部材１１０側の被係合面１２５とスペーサ２０側の係合爪２７との両方に呼込みガイド面１２６，２９を付設することによって、頭付きビス６０を副部材１５０のねじ孔１６１にねじ込むねじ込み工程で、いずれかの呼込みガイド面１２６，２９が作用して連結片２４を内向きに弾性変形させるようにしてあるけれども、この点は、被係合面１２５と係合爪２７との一方だけに呼込みガイド面を付設するだけであってもよい。
【００４３】
図３〜図６、図８、図９などのように、上記実施形態及び各変形例では、スペーサ２０の全体が主部材１１０の凹入部１２０に収容されるようになっているので、図１１で説明したリモートコントローラ１００のトップカバーとボトムケースとの締結に適用した場合に外観の見栄えが良好になるという利点がある。
【図面の簡単な説明】
【００４４】
【図１】（Ａ）は本発明に係るビス脱落防止用スペーサと頭付きビスとを示した一部破断分解側面図、（Ｂ）は両者を組み付けた状態での一部破断側面図である。
【図２】図１（Ａ）のＩＩ矢視図である。
【図３】ねじ込み工程の初期段階を示した縦断側面図である。
【図４】ねじ込み工程の中間段階を示した縦断側面図である。
【図５】ねじ込み工程の中間段階を示した縦断側面図である。
【図６】ねじ込み工程の最終段階（ビス脱落防止構造）を示した縦断側面図である。
【図７】ビス脱落防止作用を説明するための縦断側面図である。
【図８】ビス脱落防止構造の変形例を示した縦断側面図である。
【図９】ビス脱落防止構造の他の変形例を示した縦断側面図である。
【図１０】図９のビス脱落防止構造の作用を説明するための縦断側面図である。
【図１１】本発明に係るビス脱落防止用スペーサ及びビス脱落防止構造の適用事例としてのリモートコントローラを示した概略斜視図である。
【図１２】（Ａ）は特許文献３に記載されている枠体取付ネジ脱落防止構造の分解斜視図、（Ｂ）は同要部の側面図である。
【符号の説明】
【００４５】
２０  スペーサ
２１  スペーサ主部
２２  爪片
２３  頭部押え部
２４  連結片
２５  傾斜ガイド面
２６  頭部押込み口
２７  係合爪（係合部）
２８  ビット挿入口
２９，１２６  呼込みガイド面
６０  頭付きビス
６１  頭付きビスの頭部
１１０  主部材
１２１  ビス挿通孔
１２５  被係合面
１５０  副部材
１６１  ねじ孔
２００  ドライバのビット
Ｓ  スペーサ主部と頭部押え部との間の対向空間
【図１】
2006170266.tif 000003
【図２】
2006170266.tif 000004
【図３】
2006170266.tif 000005
【図４】
2006170266.tif 000006
【図５】
2006170266.tif 000007
【図６】
2006170266.tif 000008
【図７】
2006170266.tif 000009
【図８】
2006170266.tif 000010
【図９】
2006170266.tif 000011
【図１０】
2006170266.tif 000012
【図１１】
2006170266.tif 000013
【図１２】
2006170266.tif 000014